(57)【要約】【課題】屋上面または壁面を緑化しつつ、その緑化植物を利用して屋上面または壁面に広告物も施工できる屋上面広告物または壁面広告物の施工方法及びこれらによる屋上面広告物または壁面広告物を提供する。【解決手段】建築物の屋上等の人工地盤上に遮水シート１０が貼着敷設され、この遮水シート１０の上に、播種または苗播により屋上面の緑化植物としての植栽物を植生させた植生マット１２が敷設される。植生マット１２に植生した植栽物は、その種類によって、樹高または草丈、葉の色、葉の形、花の色及び開花時期等が異なる。従って、植栽物の種類を適宜選択し、樹高または草丈、葉の色、葉の形、花の色及び開花時期等の少なくとも１つを組み合わせることにより所定の広告図形１４を形成することができる。【選択図】        図１
2005031300.tif 000002
【特許請求の範囲】
【請求項１】
人工地盤上へ遮水シートを敷設し、
繊維を不織布状に堆積形成した基盤マットの繊維間隙に植栽土壌を摺込み充填し一体状とした植生マットに、播種または苗播により植栽物を植生させたものを前記遮水シート上に敷設し、
前記植生マットに植生した植栽物の、樹高または草丈、葉の色、葉の形、花の色及び開花時期の少なくとも１つの組み合わせにより所定の広告図形を形成することを特徴とする屋上面広告物の施工方法。
【請求項２】
人工地盤上へ遮水シートを敷設し、
繊維を不織布状に堆積形成した基盤マットの繊維間隙に植栽土壌を摺込み充填し一体状とした植生マットに、播種または苗播により植栽物を植生させたものを前記遮水シート上に敷設し、
広告図形の形状に対応する所定領域においては、前記繊維間隙への植栽土壌の摺込み充填及び播種または苗播を行わない基盤マットを前記遮水シート上に敷設することを特徴とする屋上面広告物の施工方法。
【請求項３】
人工地盤上へ遮水シートを敷設し、
繊維を不織布状に堆積形成した基盤マットの繊維間隙に植栽土壌を摺込み充填し一体状とした植生マットに、播種または苗播により植栽物を植生させたものを前記遮水シート上に敷設し、
広告図形を形成する所定領域においては、前記繊維間隙への植栽土壌の摺込み充填及び播種または苗播を行わない基盤マットを前記遮水シート上に敷設し、
前記基盤マットに着色することにより所定の広告図形を形成することを特徴とする屋上面広告物の施工方法。
【請求項４】
広告図形を形成する所定領域を除いて人工地盤上へ遮水シートを敷設し、
繊維を不織布状に堆積形成した基盤マットの繊維間隙に植栽土壌を摺込み充填し一体状とした植生マットに、播種または苗播により植栽物を植生させたものを、広告図形を形成する所定領域を除いて敷設された前記遮水シート上に敷設し、前記遮水シートが敷設されていない所定領域に広告図形を形成することを特徴とする屋上面広告物の施工方法。
【請求項５】
請求項４記載の屋上面広告物の施工方法において、前記広告図形は、金属材料、ガラス材料、木材、石材、窯業系材料または樹脂材料のいずれかまたはそれらの組み合わせにより形成されることを特徴とする屋上面広告物の施工方法。
【請求項６】
人工地盤上へ敷設された遮水シートと、
繊維を不織布状に堆積形成した基盤マットの繊維間隙に植栽土壌を摺込み充填し一体状としたものに、播種または苗播により植栽物を植生させ、前記遮水シート上に敷設された植生マットと、
を備え、前記植生マットに植生された植栽物は、樹高または草丈、葉の色、葉の形、花の色及び開花時期の少なくとも１つの組み合わせにより所定の広告図形を形成することを特徴とする屋上面広告物。
【請求項７】
人工地盤上へ敷設された遮水シートと、
繊維を不織布状に堆積形成した基盤マットの繊維間隙に植栽土壌を摺込み充填し一体状としたものに、播種または苗播により植栽物を植生させ、広告図形の形状に対応する所定領域を除いて前記遮水シート上に敷設された植生マットと、
前記遮水シート上の広告図形の形状に対応する所定領域に敷設され、前記繊維間隙への植栽土壌の摺込み充填及び播種または苗播を行わない基盤マットと、を備えることを特徴とする屋上面広告物。
【請求項８】
人工地盤上へ敷設された遮水シートと、
繊維を不織布状に堆積形成した基盤マットの繊維間隙に植栽土壌を摺込み充填し一体状としたものに、播種または苗播により植栽物を植生させ、広告図形を形成する所定領域を除いて前記遮水シート上に敷設され植生マットと、
前記遮水シート上の広告図形を形成する所定領域に敷設され、前記繊維間隙への植栽土壌の摺込み充填及び播種または苗播を行わない基盤マットと、
を備え、前記基盤マットが着色されて所定の広告図形が形成されることを特徴とする屋上面広告物。
【請求項９】
請求項８記載の屋上面広告物において、前記所定の広告図形は、前記基盤マットへの着色とともに、前記基盤マットへ土壌、砂等を充填することにより形成されることを特徴とする屋上面広告物。
【請求項１０】
広告図形を形成する所定領域を除いて人工地盤上に敷設された遮水シートと、
繊維を不織布状に堆積形成した基盤マットの繊維間隙に植栽土壌を摺込み充填し一体状としたものに、播種または苗播により植栽物を植生させ、広告図形を形成する所定領域を除いて敷設された前記遮水シート上に敷設された植生マットと、
前記遮水シートが敷設されていない所定領域に形成された広告図形と、を備えることを特徴とする屋上面広告物。
【請求項１１】
請求項１０記載の屋上面広告物において、前記広告図形は、金属材料、ガラス材料、木材、石材、窯業系材料または樹脂材料のいずれかまたはそれらの組み合わせにより形成されることを特徴とする屋上面広告物。
【請求項１２】
請求項６から請求項１１のいずれか一項記載の屋上面広告物において、前記広告図形は、その一部に照明装置または発光装置を備えることを特徴とする屋上面広告物。
【請求項１３】
請求項１２記載の屋上面広告物において、前記照明装置または発光装置への電力は風力発電装置から供給されることを特徴とする屋上面広告物。
【請求項１４】
請求項１２記載の屋上面広告物において、前記照明装置または発光装置への電力はソーラー発電装置から供給されることを特徴とする屋上面広告物。
【請求項１５】
請求項１４記載の屋上面広告物において、前記ソーラー発電装置の受光面を前記広告図形の一部として使用することを特徴とする屋上面広告物。
【請求項１６】
請求項６から請求項１５のいずれか一項記載の屋上面広告物において、前記基盤マットは矩形状に構成され、容易に切断可能であることを特徴とする屋上面広告物。
【請求項１７】
壁面に取付け用部材を設け、
繊維を不織布状に堆積形成した基盤マットの繊維間隙に植栽土壌を摺込み充填し一体状とした植生マットに、播種または苗播により植栽物を植生させたものを挟持部材で挟み込み、
前記挟持部材を前記取付け用部材に取付けて固定し、
前記植生マットに植生した植栽物の、樹高または草丈、葉の色、葉の形、花の色及び開花時期の少なくとも１つの組み合わせにより所定の広告図形を形成することを特徴とする壁面広告物の施工方法。
【請求項１８】
請求項１７記載の壁面広告物の施工方法において、前記広告図形は、前記植生マットに植生した植栽物の、樹高または草丈、葉の色、葉の形、花の色及び開花時期の少なくとも１つの組み合わせに代わって、前記広告図形の形状に対応する所定領域において、前記繊維間隙への植栽土壌の摺込み充填及び播種または苗播を行わない基盤マットを露出させることにより形成されることを特徴とする壁面広告物の施工方法。
【請求項１９】
請求項１７記載の壁面広告物の施工方法において、前記広告図形は、前記植生マットに植生した植栽物の、樹高または草丈、葉の色、葉の形、花の色及び開花時期の少なくとも１つの組み合わせに代わって、前記広告図形を形成する所定領域において、前記繊維間隙への植栽土壌の摺込み充填及び播種または苗播を行わない基盤マットを露出させ、前記基盤マットに着色することにより形成されることを特徴とする壁面広告物の施工方法。
【請求項２０】
壁面に設けられた取付け用部材と、
繊維を不織布状に堆積形成した基盤マットの繊維間隙に植栽土壌を摺込み充填し一体状としたものに、播種または苗播により植栽物を植生させ、前記遮水シート上に敷設された植生マットと、
前記植生マットを挟持し、前記取付け用部材に取付けて固定するための挟持部材と、
を備え、前記植生マットに植生された植栽物は、樹高または草丈、葉の色、葉の形、花の色及び開花時期の少なくとも１つの組み合わせにより所定の広告図形を形成することを特徴とする壁面広告物。
【請求項２１】
請求項２０記載の壁面広告物において、前記広告図形は、前記植生マットに植生した植栽物の、樹高または草丈、葉の色、葉の形、花の色及び開花時期の少なくとも１つの組み合わせに代わって、前記広告図形の形状に対応する所定領域において、前記繊維間隙への植栽土壌の摺込み充填及び播種または苗播を行わない基盤マットを露出させることにより形成されることを特徴とする壁面広告物。
【請求項２２】
請求項２０記載の壁面広告物において、前記広告図形は、前記植生マットに植生した植栽物の、樹高または草丈、葉の色、葉の形、花の色及び開花時期の少なくとも１つの組み合わせに代わって、前記広告図形を形成する所定領域において、前記繊維間隙への植栽土壌の摺込み充填及び播種または苗播を行わない基盤マットを露出させ、前記基盤マットに着色することにより形成されることを特徴とする壁面広告物。
【請求項２３】
請求項２２記載の壁面広告物において、前記所定の広告図形は、前記基盤マットへの着色とともに、前記基盤マットへ土壌、砂等を充填することにより形成されることを特徴とする壁面広告物。
【請求項２４】
請求項２０から請求項２３のいずれか一項記載の壁面広告物において、前記広告図形は、その一部に照明装置または発光装置を備えることを特徴とする壁面広告物。
【請求項２５】
請求項２４記載の壁面広告物において、前記照明装置または発光装置への電力は風力発電装置から供給されることを特徴とする壁面広告物。
【請求項２６】
請求項２４記載の壁面広告物において、前記照明装置または発光装置への電力はソーラー発電装置から供給されることを特徴とする壁面広告物。
【請求項２７】
請求項２６記載の壁面広告物において、前記ソーラー発電装置の受光面を前記広告図形の一部として使用することを特徴とする壁面広告物。
【請求項２８】
請求項２０から請求項２７のいずれか一項記載の壁面広告物において、前記基盤マットは矩形状に構成され、容易に切断可能であることを特徴とする壁面広告物。
【発明の詳細な説明】
【０００１】
【発明の属する技術分野】
本発明は、建造物の屋上面または壁面に広告物を施工するための屋上面広告物または壁面広告物の施工方法及びこれらにより施工された屋上面広告物または壁面広告物に関する。
【０００２】
【従来の技術】
近年、都市部における大気浄化、乾燥防止、温暖化防止、ヒートアイランド現象の緩和などのため、建築物の屋上の人工地盤の緑化が推奨されている。このような屋上等の緑化には、建築物の冷暖房効率の向上も期待できる。屋上緑化に関する技術としては、例えば特許文献１に屋上緑化システムが開示されている。
【０００３】
また、建築物の壁面を緑化する技術も提案されており、特許文献２には、駐車場ビルの外壁面緑化構造が開示されている。
【０００４】
【特許文献１】特開２００３−３３１１２号公報
【０００５】
【特許文献２】特開平５−２９５９１６号公報
【０００６】
【発明が解決しようとする課題】
しかし、上記従来の技術においては、屋上面または壁面を緑化しつつ、その緑化植物を利用して屋上面または壁面に広告物も施工する技術は提案されていなかった。このため、屋上面または壁面の効率的な利用という点で不十分であった。
【０００７】
本発明は、上記従来の課題に鑑みなされたものであり、その目的は、屋上面または壁面を緑化しつつ、その緑化植物を利用して屋上面または壁面に広告物も施工できる屋上面広告物または壁面広告物の施工方法及びこれらによる屋上面広告物または壁面広告物を提供することにある。
【０００８】
【課題を解決するための手段】
上記目的を達成するために、本発明は、屋上面広告物の施工方法であって、人工地盤上へ遮水シートを敷設し、繊維を不織布状に堆積形成した基盤マットの繊維間隙に植栽土壌を摺込み充填し一体状とした植生マットに、播種または苗播により植栽物を植生させたものを遮水シート上に敷設し、植生マットに植生した植栽物の、樹高または草丈、葉の色、葉の形、花の色及び開花時期の少なくとも１つの組み合わせにより所定の広告図形を形成することを特徴とする。
【０００９】
上記各構成によれば、植栽物の、樹高または草丈、葉の色、葉の形、花の色及び開花時期の少なくとも１つの組み合わせにより所定の広告図形を形成するので、植栽物の組み合わせを適宜選択することにより、多くのバリエーションの広告物を屋上面に施工できる。また、広告物を屋上緑化とともに形成でき、屋上面の利用効率を向上できる。
【００１０】
また、屋上面広告物の施工方法であって、人工地盤上へ遮水シートを敷設し、繊維を不織布状に堆積形成した基盤マットの繊維間隙に植栽土壌を摺込み充填し一体状とした植生マットに、播種または苗播により植栽物を植生させたものを遮水シート上に敷設し、広告図形の形状に対応する所定領域においては、繊維間隙への植栽土壌の摺込み充填及び播種または苗播を行わない基盤マットを遮水シート上に敷設することを特徴とする。
【００１１】
また、屋上面広告物の施工方法であって、人工地盤上へ遮水シートを敷設し、繊維を不織布状に堆積形成した基盤マットの繊維間隙に植栽土壌を摺込み充填し一体状とした植生マットに、播種または苗播により植栽物を植生させたものを遮水シート上に敷設し、広告図形を形成する所定領域においては、繊維間隙への植栽土壌の摺込み充填及び播種または苗播を行わない基盤マットを遮水シート上に敷設し、基盤マットに着色することにより所定の広告図形を形成することを特徴とする。
【００１２】
上記各構成によれば、繊維間隙への植栽土壌の摺込み充填及び播種または苗播を行わず、植栽物を植生させない基盤マットの繊維の地色またはこれへの着色により、屋上面に容易に広告物を施工できる。
【００１３】
また、屋上面広告物の施工方法であって、広告図形を形成する所定領域を除いて人工地盤上へ遮水シートを敷設し、繊維を不織布状に堆積形成した基盤マットの繊維間隙に植栽土壌を摺込み充填し一体状とした植生マットに、播種または苗播により植栽物を植生させたものを、広告図形を形成する所定領域を除いて敷設された遮水シート上に敷設し、遮水シートが敷設されていない所定領域に広告図形を形成することを特徴とする。この場合、上記広告図形は、金属材料、ガラス材料、木材、石材、窯業系材料または樹脂材料のいずれかまたはそれらの組み合わせにより形成されるのが好適である。
【００１４】
上記各構成によれば、屋上緑化用の植栽物と他の素材との組み合わせにより、多くのバリエーションの広告物を屋上面に施工できる。
【００１５】
また、屋上面広告物であって、人工地盤上へ敷設された遮水シートと、繊維を不織布状に堆積形成した基盤マットの繊維間隙に植栽土壌を摺込み充填し一体状としたものに、播種または苗播により植栽物を植生させ、遮水シート上に敷設された植生マットと、を備え、植生マットに植生された植栽物は、樹高または草丈、葉の色、葉の形、花の色及び開花時期の少なくとも１つの組み合わせにより所定の広告図形を形成することを特徴とする。
【００１６】
また、屋上面広告物であって、人工地盤上へ敷設された遮水シートと、繊維を不織布状に堆積形成した基盤マットの繊維間隙に植栽土壌を摺込み充填し一体状としたものに、播種または苗播により植栽物を植生させ、広告図形の形状に対応する所定領域を除いて遮水シート上に敷設された植生マットと、遮水シート上の広告図形の形状に対応する所定領域に敷設され、繊維間隙への植栽土壌の摺込み充填及び播種または苗播を行わない基盤マットと、を備えることを特徴とする。
【００１７】
また、屋上面広告物であって、人工地盤上へ敷設された遮水シートと、繊維を不織布状に堆積形成した基盤マットの繊維間隙に植栽土壌を摺込み充填し一体状としたものに、播種または苗播により植栽物を植生させ、広告図形を形成する所定領域を除いて遮水シート上に敷設され植生マットと、遮水シート上の広告図形を形成する所定領域に敷設され、繊維間隙への植栽土壌の摺込み充填及び播種または苗播を行わない基盤マットと、を備え、この基盤マットが着色されて所定の広告図形が形成されることを特徴とする。この場合、上記所定の広告図形は、基盤マットへの着色とともに、基盤マットへ土壌、砂等を充填することにより形成されることを特徴とする。
【００１８】
また、屋上面広告物であって、広告図形を形成する所定領域を除いて人工地盤上に敷設された遮水シートと、繊維を不織布状に堆積形成した基盤マットの繊維間隙に植栽土壌を摺込み充填し一体状としたものに、播種または苗播により植栽物を植生させ、広告図形を形成する所定領域を除いて敷設された遮水シート上に敷設された植生マットと、遮水シートが敷設されていない所定領域に形成された広告図形と、を備えることを特徴とする。この場合、上記広告図形は、金属材料、ガラス材料、木材、石材、窯業系材料または樹脂材料のいずれかまたはそれらの組み合わせにより形成されることを特徴とする。
【００１９】
また、上記各屋上面広告物において、広告図形は、その一部に照明装置または発光装置を備えることを特徴とする。
【００２０】
上記各構成によれば、屋上面の緑化とともにその緑化植物を利用した屋上面の広告物を実現でき、屋上面の利用効率を向上できる。
【００２１】
また、上記照明装置または発光装置を備える屋上面広告物において、照明装置または発光装置への電力は風力発電装置またはソーラー発電装置から供給されることを特徴とする。この場合、ソーラー発電装置の受光面を広告図形の一部として使用してもよい。
【００２２】
上記各構成によれば、照明装置または発光装置を使用した場合にも、風力発電装置またはソーラー発電装置から電力を供給することにより省電力を図ることができる。
【００２３】
また、上記屋上面広告物に使用される基盤マットは矩形状に構成され、容易に切断可能であることを特徴とする。
【００２４】
上記構成によれば、基盤マットが矩形状に構成され、容易に切断可能であるので、屋上緑化及び広告物の施工を容易に行うことができる。
【００２５】
また、壁面広告物の施工方法であって、壁面に取付け用部材を設け、繊維を不織布状に堆積形成した基盤マットの繊維間隙に植栽土壌を摺込み充填し一体状とした植生マットに、播種または苗播により植栽物を植生させたものを挟持部材で挟み込み、挟持部材を取付け用部材に取付けて固定し、植生マットに植生した植栽物の、樹高または草丈、葉の色、葉の形、花の色及び開花時期の少なくとも１つの組み合わせにより所定の広告図形を形成することを特徴とする。また、上記広告図形は、植生マットに植生した植栽物の、樹高または草丈、葉の色、葉の形、花の色及び開花時期の少なくとも１つの組み合わせに代わって、広告図形の形状に対応する所定領域において、繊維間隙への植栽土壌の摺込み充填及び播種または苗播を行わない基盤マットを露出させることにより形成してもよい。さらに、上記広告図形は、植生マットに植生した植栽物の、樹高または草丈、葉の色、葉の形、花の色及び開花時期の少なくとも１つの組み合わせに代わって、広告図形を形成する所定領域において、繊維間隙への植栽土壌の摺込み充填及び播種または苗播を行わない基盤マットを露出させ、その基盤マットに着色することにより形成してもよい。
【００２６】
上記各構成によれば、広告物を壁面緑化とともに形成でき、建築物の壁面の利用効率を向上できる。
【００２７】
また、壁面広告物であって、壁面に設けられた取付け用部材と、繊維を不織布状に堆積形成した基盤マットの繊維間隙に植栽土壌を摺込み充填し一体状としたものに、播種または苗播により植栽物を植生させ、前記遮水シート上に敷設された植生マットと、植生マットを挟持し、取付け用部材に取付けて固定するための挟持部材と、を備え、植生マットに植生された植栽物は、樹高または草丈、葉の色、葉の形、花の色及び開花時期の少なくとも１つの組み合わせにより所定の広告図形を形成することを特徴とする。また、上記広告図形は、植生マットに植生した植栽物の、樹高または草丈、葉の色、葉の形、花の色及び開花時期の少なくとも１つの組み合わせに代わって、広告図形の形状に対応する所定領域において、繊維間隙への植栽土壌の摺込み充填及び播種または苗播を行わない基盤マットを露出させることにより形成してもよい。さらに、上記広告図形は、植生マットに植生した植栽物の、樹高または草丈、葉の色、葉の形、花の色及び開花時期の少なくとも１つの組み合わせに代わって、前記図形を形成する所定領域において、繊維間隙への植栽土壌の摺込み充填及び播種または苗播を行わない基盤マットを露出させ、その基盤マットに着色することにより形成してもよい。
【００２８】
また、上記壁面広告物において、所定の広告図形は、基盤マットへの着色とともに、基盤マットへ土壌、砂等を充填することにより形成されることを特徴とする。
【００２９】
また、上記壁面広告物において、広告図形は、その一部に照明装置または発光装置を備えることを特徴とする。
【００３０】
また、上記照明装置または発光装置への電力は風力発電装置またはソーラー発電装置から供給されることを特徴とする。この場合、ソーラー発電装置の受光面を広告図形の一部として使用してもよい。
【００３１】
また、上記壁面広告物において、基盤マットは矩形状に構成され、容易に切断可能であることを特徴とする。
【００３２】
【発明の実施の形態】
以下、本発明の実施の形態（以下実施形態という）を、図面に従って説明する。
【００３３】
実施形態１．
図１には、本発明にかかる屋上面広告物の実施形態１の部分斜視図が示される。図１において、建築物の屋上等の人工地盤上に遮水シート１０が貼着敷設され、この遮水シート１０の上に、播種または苗播により屋上面の緑化植物としての植栽物を植生させた植生マット１２が敷設される。植生マット１２は、繊維を不織布状に堆積形成した基盤マットの繊維間隙に植栽土壌を摺込み充填し一体状としたものである。
【００３４】
植生マット１２に植生した植栽物は、その種類によって、樹高または草丈、葉の色、葉の形、花の色及び開花時期等が異なる。従って、植栽物の種類を適宜選択し、樹高または草丈、葉の色、葉の形、花の色及び開花時期等の少なくとも１つを組み合わせることにより所定の広告図形を形成することができる。例えば、白い花の中に、広告図形の形状の領域だけ赤い花を咲かせて、所望の広告図形を形成する等の方法である。図１には、このような方法で、広告図形１４としてのアルファベットのＡが屋上面に形成された例が示されている。すなわち、広告図形１４内の領域（アルファベットのＡを構成している領域）と広告図形１４の外の領域とでは、使用される植栽物の樹高または草丈、葉の色、葉の形、花の色及び開花時期等が異なっており、このような見る者の視覚に訴える効果の相違によって、屋上面に施工された緑化植物の中に広告図形１４が形成される。これにより、屋上面を緑化しつつ、その緑化植物を利用して屋上面に広告物を施工することができ、屋上面を効率的に利用できる。
【００３５】
図２には、屋上を緑化するための緑化植物の植栽方法の例が示される。図２において、建築物の屋上等の人工地盤を形成するコンクリートスラブ１６に軟質合成樹脂製である遮水シート１０を貼着し、この上に、オレフィン系樹脂の排水マット１８、ポリエステル製の防根シート２０及び植生マット１２がこの順序で積層されている。植生マット１２は、オレフィン系樹脂等の合成繊維ないしココナッツ繊維を不織布状に堆積形成した薄層板状の基盤マット２２の最上層と最下層に、その表裏より、バークとココピートを含む植栽土壌２４を摺込み、該マットを形成する繊維間隙に充填しマットと一体に構成したものである。そして、植生マット１２の最下層には粒度の粗い植栽土壌を充填し、最上層には粒度の細かい粉状植栽土壌を充填するとともに、充填量は最下層が密に、最上層が粗になるよう密度勾配を持たせ、最上層に植栽物２６としての緑化植物を植栽し、中間層に排水部を形成させ、最下層に保水部を形成させるようにしてある。植栽物２６としては、植生マット１２に、播種または苗播により、例えばセダム類、蘚苔類、牧草、ハーブを含む背丈の低い多年草の組み合わせからなる植物を植栽したもの等が使用できる。また、排水マット１８、防根シート２０及び植生マット１２は、固定部材２８によりコンクリートスラブ１６に固定される。この固定部材２８は、爪付押さえ板３０により植生マット１２を押圧し、柱状部材３２、ベース部３４を介してコンクリートスラブ１６に固定される。
【００３６】
上述した植生マット１２及びその材料である基盤マット２２は、矩形状に構成するのが好適である。矩形状とすることにより、屋上面での施工を容易に行うことができる。また、基盤マット２２は、オレフィン系樹脂等の合成繊維ないしココナッツ繊維により構成されているので、基盤マット２２及びこれを使用した植生マット１２は切断が容易である。このため、基盤マット２２及び植生マット１２は、所望の形状に容易に加工でき、屋上緑化及び広告物の施工を容易に行うことができる。
【００３７】
なお、植栽物２６の植栽方法としては上述したものに限られず、屋上に植栽物２６を植栽できるものであれば、いずれも本発明に適用可能である。また、植栽物２６も、上記セダム類、蘚苔類、牧草、ハーブを含む背丈の低い多年草の組み合わせに限らず、適宜な植物を使用することができる。
【００３８】
実施形態２．
図３には、本発明にかかる屋上面広告物の実施形態２の部分斜視図が示され、図１と同一要素には同一符号が付されている。図３において、人工地盤上に遮水シート１０が貼着敷設され、この遮水シート１０上に植栽物２６を植生させた植生マット１２が敷設されている。植生マット１２は、広告図形１４の形状に対応する所定領域が切断され、削除されている。この広告図形１４の形状に対応する所定領域には、基盤マット２２を広告図形１４の形状に切断したものが嵌め込まれ、上記遮水シート１０上に敷設される。この基盤マット２２には、繊維間隙への植栽土壌の摺込み充填及び播種または苗播が行われておらず、基盤マット２２の固有色、例えば白色の状態となっている。これにより、植生マット１２上に植生した緑化植物の中に、白色の基盤マット２２によって広告図形１４が形成される。この広告図形１４は、屋上面に平面的に形成されることになる。
【００３９】
なお、広告図形１４の形状に対応する植生マット１２の所定領域を切断する代わりに、植生マット１２に植栽物２６を植栽する際に、広告図形１４の形状に対応する所定領域だけ、基盤マット２２の繊維間隙への植栽土壌の摺込み充填及び播種または苗播を行わない方法によっても、広告図形１４を形成できる。この方法によれば、植栽物２６を植栽する段階から広告図形１４の形状に対応する所定領域だけ基盤マット２２が露出した状態となる。これにより、植生マット１２の切断、除去という工程を行わずに広告図形１４を形成することができる。
【００４０】
また、本実施形態においては、広告図形１４の形状に対応する所定領域に露出されている基盤マット２２に着色することも好適である。これにより、様々な色の広告図形１４を形成でき、効果的な広告とすることができる。この場合、使用される着色剤は、基盤マット２２がオレフィン系樹脂等の合成繊維ないしココナッツ繊維であるので、これらに着色できるものであれば限定されない。なお、基盤マット２２へ着色する際に、基盤マット２２へ土壌、砂等を充填してもよい。これにより、形成される広告図形１４の表現方法が多様化できる。この場合も、形成される広告図形１４は、平面的なものになる。
【００４１】
さらに、基盤マット２２に着色して広告図形１４を形成する他の例が図４に示される。図４において、広告図形１４を形成する所定領域として広告図形１４の形状とは異なる形状、例えば四角形状に基盤マット２２を切断し、これに着色して広告図形１４（図４では、アルファベットのＡ）を描いておく。この広告図形１４が描かれた基盤マット２２は、植生マット１２が四角形状に切断され、削除された部分に嵌め込まれる。なお、植生マット１２に植栽物２６を植栽する際に、所定の四角形の領域だけ基盤マット２２の繊維間隙への植栽土壌の摺込み充填及び播種または苗播を行わないで基盤マット２２を露出しておき、ここに上記広告図形１４を描いてもよい。
【００４２】
上記実施形態においては、植生マット１２の、広告図形１４を形成する所定領域に基盤マット２２を嵌め込んで広告図形１４を形成していたが、広告図形１４を形成する素材としては必ずしも基盤マット２２に限られない。例えば、広告図形１４を形成する所定領域を除いて人工地盤（コンクリートスラブ１６）上へ遮水シート１０を敷設し、この上に植生マット１２を敷設しておく。次に、遮水シート１０が敷設されていない上記所定領域に、アルミニウム、鉄、ステンレス鋼等の金属材料、ガラス材料、木材、石材、煉瓦や陶磁器等の窯業系材料またはアクリル、ポリプロピレン、ＰＥＴ等の樹脂材料のいずれかまたはそれらの組み合わせにより屋上面に広告図形１４を形成する。これにより、様々な素材を使用して、より多様な広告図形１４を屋上面に形成できる。なお、この場合の広告図形１４は、屋上面に形成されるので、平面的な図形とするのが好適である。
【００４３】
実施形態３．
図５には、本発明にかかる屋上面広告物の実施形態３の部分斜視図が示され、図１と同一要素には同一符号が付されている。図５において、遮水シート１０上に敷設された植生マット１２は、広告図形１４の形状に対応する所定領域が切り取られ、削除されている。この広告図形１４の形状に対応する所定領域には、ネオン管等の放電管で構成された発光装置３６が設置されている。この発光装置３６を発光させることにより、広告図形１４をより目立たせることができる。なお、発光装置３６には、適宜な電源から電力が供給される。
【００４４】
図６には、上記発光装置３６に風力発電装置３８から電力を供給する例が示される。図６においては、風力発電装置３８から電線４０により発光装置３６に電力が供給されているが、この電線４０は、植生マット１２の下を通過させ、外部から見えないようにするのも好適である。図６に示された例のように、風力発電装置３８を使用すると、省電力を図ることができる。また、風力発電装置３８の形状を広告図形の中に取り入れることにより、斬新な広告図形を実現できる。
【００４５】
図７には、上記発光装置３６にソーラーセル４２で構成されたソーラー発電装置から電力を供給する例が示される。この例によっても省電力を図ることができる。また、図７においては、ソーラー発電装置を構成するソーラーセル４２の受光面を広告図形１４の一部として使用している。これにより、斬新な広告図形を実現できる。
【００４６】
実施形態４．
図８には、本発明にかかる屋上面広告物の実施形態４の部分斜視図が示され、図１と同一要素には同一符号が付されている。図８において、広告図形１４は、実施形態２で述べたように、基盤マット２２で形成してもよいし、例えば金属材料、ガラス材料、木材、石材、窯業系材料または樹脂材料のいずれかまたはそれらの組み合わせにより形成してもよい。この広告図形１４に、白熱灯、レーザ等の照明装置４４から光を照射する。これにより、夜間ライトアップすることができ、広告効果の高い広告物とすることができる。なお、本実施形態では、照明装置４４に風力発電装置３８から電力を供給して省電力を図っている。
【００４７】
図９には、本実施形態の変形例が示される。図９において、広告図形１４の表面には、ソーラー発電装置を構成するソーラーセル４２が貼り付けられており、ソーラー発電装置で発生された電力により、照明装置４４が光を広告図形１４に照射する。これにより、広告図形１４の表面のソーラーセル４２で光が反射され、斬新な広告図形を実現できる。また、省電力を図ることもできる。
【００４８】
実施形態５．
図１０には、本発明の実施形態５にかかる壁面広告物の斜視図が示される。図１０において、前述した各実施形態と同様にして、播種または苗播により緑化植物としての植栽物を植生させた植生マット１２が、挟持部材４４により挟み込まれている。この挟持部材４４は、取付け用部材４６に取付けられ、固定されている。取付け用部材４４は、建築物の壁面に設けられている。これにより、植生マット１２を建築物の壁面に固定して保持することができる。
【００４９】
上記挟持部材４４は、例えばワイヤネットで構成するのが好適である。また、取付け用部材４６は、建築物の壁面から一部突出した突出部４８を備え、その突出部４８には、ねじ穴５０が形成されている。挟持部材４４を取付け用部材４６に取付ける際には、板状部材５２にボルト５４を通し、板状部材５２で植生マット１２を挟持した挟持部材４４を押圧しつつボルト５４をねじ穴５０にねじ込んで固定する。
【００５０】
本実施形態においても、実施形態１と同様に、植生マット１２に植生した植栽物の種類を適宜選択し、樹高または草丈、葉の色、葉の形、花の色及び開花時期等の少なくとも１つを組み合わせることにより所定の広告図形１４を形成することができる。これにより、建築物の壁面を緑化するとともに、その緑化植物を利用して壁面に広告物を施工することができ、壁面を効率的に利用できる。
【００５１】
また、実施形態２の図３と同様に、広告図形１４の形状に対応する所定領域を切断し、削除しておき、この広告図形１４の形状に対応する所定領域に、基盤マット２２を広告図形１４の形状に切断したものを嵌め込むことにより広告図形１４を形成してもよい。この場合、基盤マット２２が外に露出した状態となり、基盤マット２２の固有色、例えば白色により広告図形１４が形成される。また、広告図形１４の形状に対応する植生マット１２の所定領域を切断する代わりに、植生マット１２に植栽物２６を植栽する際に、広告図形１４の形状に対応する所定領域だけ、基盤マット２２の繊維間隙への植栽土壌の摺込み充填及び播種または苗播を行わない方法によっても、広告図形１４を形成できる。なお、この基盤マット２２に着色することも好適である。また、基盤マット２２へ着色する際に、基盤マット２２へ土壌、砂等を充填してもよい。
【００５２】
また、実施形態２の図４と同様にして、広告図形１４を形成する所定領域として広告図形１４の形状とは異なる形状、例えば四角形状に基盤マット２２を切断し、これに着色して広告図形１４（例えば、アルファベットのＡ）を描いておき、この広告図形１４が描かれた基盤マット２２を、植生マット１２が四角形状に切断され、削除された部分に嵌め込むようにしてもよい。なお、植生マット１２に植栽物２６を植栽する際に、所定の四角形の領域だけ基盤マット２２の繊維間隙への植栽土壌の摺込み充填及び播種または苗播を行わないで基盤マット２２を露出しておき、ここに上記広告図形１４を描いてもよい。
【００５３】
また、実施形態３の図５、図６、図７と同様にして、広告図形１４の形状に対応する所定領域に、ネオン管等の放電管で構成された発光装置３６を設置してもよい。また、この発光装置３６には、風力発電装置３８またはソーラー発電装置から電力を供給するように構成してもよい。
【００５４】
また、実施形態３の図８または図９と同様にして、広告図形１４に、白熱灯、レーザ等の照明装置４４から光を照射するようにしてもよい。また、この照明装置４４には、風力発電装置３８またはソーラー発電装置から電力を供給するように構成してもよい。
【００５５】
【発明の効果】
以上説明したように、本発明によれば、植栽物の、樹高または草丈、葉の色、葉の形、花の色及び開花時期の少なくとも１つの組み合わせにより所定の広告図形を形成することにより、植栽物の組み合わせを適宜選択して、多くのバリエーションの広告物を屋上面または壁面に施工できる。また、広告物を屋上緑化または壁面緑化とともに形成でき、屋上面及び壁面の利用効率を向上できる。
【００５６】
また、屋上面広告物を、植生マットの材料である基盤マットの繊維の地色またはこれへの着色により形成することにより、広告物の屋上面または壁面への施工を容易に行うことができる。
【００５７】
また、屋上緑化用の植栽物と他の素材とを組み合わせることにより、多くのバリエーションの広告物を屋上面または壁面に施工できる。
【００５８】
また、屋上面広告物または壁面広告物に発光装置または照明装置を組み合わせれば、より広告効果の高い広告物を実現できる。また、発光装置または照明装置に風力発電装置またはソーラー発電装置から電力を供給すれば、省電力を図れるとともに、風力発電装置またはソーラー発電装置との組み合わせにより斬新な広告物を実現できる。
【００５９】
また、基盤マットは矩形状に構成され、容易に切断可能であるので、屋上緑化、壁面緑化及び広告物の施工を容易に行うことができる。
【図面の簡単な説明】
【図１】本発明にかかる屋上面広告物の実施形態１の部分斜視図である。
【図２】屋上を緑化するための緑化植物の植栽方法の説明図である。
【図３】本発明にかかる屋上面広告物の実施形態２の部分斜視図である。
【図４】本発明にかかる屋上面広告物の実施形態２の変形例を示す部分斜視図である。
【図５】本発明にかかる屋上面広告物の実施形態３の部分斜視図である。
【図６】本発明にかかる屋上面広告物の実施形態３の変形例を示す部分斜視図である。
【図７】本発明にかかる屋上面広告物の実施形態３の他の変形例を示す部分斜視図である。
【図８】本発明にかかる屋上面広告物の実施形態４の部分斜視図である。
【図９】本発明にかかる屋上面広告物の実施形態４の変形例を示す部分斜視図である。
【図１０】本発明の実施形態５にかかる壁面広告物の斜視図である。
【符号の説明】
１０  遮水シート、１２  植生マット、１４  広告図形、１６  コンクリートスラブ、１８  排水マット、２０  防根シート、２２  基盤マット、２４  植栽土壌、２６  植栽物、２８  固定部材、３０  爪付押さえ板、３２  柱状部材、３４  ベース部、３６  発光装置、３８  風力発電装置、４０  電線、
４２  照明装置  ４４  挟持部材、４６  取付け用部材、４８  突出部、
５０  ねじ穴、５２  板状部材、５４  ボルト。
【図１】
2005031300.tif 000003
【図２】
2005031300.tif 000004
【図３】
2005031300.tif 000005
【図４】
2005031300.tif 000006
【図５】
2005031300.tif 000007
【図６】
2005031300.tif 000008
【図７】
2005031300.tif 000009
【図８】
2005031300.tif 000010
【図９】
2005031300.tif 000011
【図１０】
2005031300.tif 000012